(57)【要約】【課題】防水管路材に挿入したケーブル類の外径サイズの様々な大きさに対応でき、内外両側パッキン内からの防水混和物の漏出を防いで十分な止水機能を発揮可能にする。【解決手段】防水管路材Ｐの防水フランジＱ内側に形成した拡開段差部Ｒに嵌め込み配置する内側パッキン２と、該内側パッキン２上に被覆充填する防水混和物３と、ケーブル類Ｃ周辺部分において形成した防水混和物３の盛り上がり部分に被さるようにして取り付ける弾性キャップ４と、該弾性キャップ４に巻装貼着する自己融着テープ５と、弾性キャップ４先端部分を露出し且つ弾性キャップ４の周端側を保持するようにして防水フランジＱに取り付けた外側パッキン６と、外側パッキン６上に被着し、圧締ボルト８・ナット９によって防水フランジＱ側に締付け固定する締付盤７とを備える。【選択図】図２
0003137882.tif 000002
【実用新案登録請求の範囲】
【請求項１】
防水管路材の防水フランジ内側に形成された拡開段差部に嵌め込み配置される内側パッキンと、該内側パッキン上に被覆充填される防水混和物と、ケーブル類周辺部分において形成された防水混和物の盛り上がり部分に被さるようにして取り付けられる弾性キャップと、該弾性キャップに巻装貼着される自己融着テープと、弾性キャップ先端部分を露出させ且つ弾性キャップの周端側を保持するようにして防水フランジに取り付けられる外側パッキンと、外側パッキン上に被着され、圧締ボルト・ナットによって防水フランジに締付け固定される締付盤とを備えてなることを特徴とする管路口止水装置。
【請求項２】
弾性キャップは、円筒部の一端縁から円錐状に窄まってなる袋状先端部と、円筒部の他端縁に形成され、前記外側パッキンで保持されるフランジ部と、袋状先端部の中央からフランジ部にかけて形成された開放切込部とを有してなり、袋状先端部はケーブル類の外径サイズに対応して切断可能としている請求項１記載の管路口止水装置。
【考案の詳細な説明】
【技術分野】
【０００１】
本考案は、各種のケーブル類を挿通収納して保護する例えば鋳鉄製の防水管路材の開口端末のフランジ部において、この防水管路材の口径に比し小径なケーブル類を水密的に挿通配置できるようにした管路口止水装置に関する。
【背景技術】
【０００２】
従来、この種の管路口止水装置としては、図５に示すように、防水管路材Ｐの管路口に例えば３本のケーブル類Ｃを挿通させている場合、３つの貫通孔を開穿した後側支持金具１０１、前側支持金具１０２、内部に防水混和物１０３を充填させるパッキン１０４それぞれと、前記貫通孔に対応して互いに連通した３つの貫通孔を形成してなる中心部金具１０５、該中心部金具１０５を締付ボルト１０６によって後方側に締付ける左右一対の締付金具１０７それぞれとを備えている。そして、この管路口止水装置の組み付けに際し、先ず貫通孔にケーブル類Ｃを導入させて防水管路材Ｐのフランジ部Ｑ側に後側支持金具１０１を嵌め込み、該後側支持金具１０１の３箇所に支持ボルト１０８をねじ込み、内部に防水混和物１０３を充填させたパッキン１０４を介して前側支持金具１０２を支持ボルト１０８に沿って嵌め込み、次に中心部金具１０５を支持ボルト１０８に沿って装着してから締付金具１０７および締付ボルト１０６によって中心部金具１０５を後方側のフランジ部Ｑに締付けるものとしていた。
【０００３】
また、図６に示すように、防水管路材Ｐの管路口に例えば１本のケーブル類Ｃを挿通させている場合、中央に貫通孔を開穿した後側パッキン１１０および前側パッキン１１１と、前後両パッキン１１０，１１１間に充填される防水混和物１０３と、前記貫通孔に対応して１つの貫通孔を形成してなり、締付ボルト１０６によってフランジ部Ｑに締付ける左右一対の締付金具１０７とを備えている。そして、この管路口止水装置の組み付けに際し、先ず貫通孔にケーブル類Ｃを導入させて防水管路材Ｐのフランジ部Ｑの内側に後側パッキン１１０を嵌め込み、該後側パッキン１１０上に隙間無く塞ぐように防水混和物１０３を詰め込んでから前側パッキン１１１を取り付け、次に左右一対の締付金具１０７を装着して締付ボルト１０６によってフランジ部Ｑに締付けるものとしていた。
【特許文献１】特になし
【考案の開示】
【考案が解決しようとする課題】
【０００４】
しかしながら、このような従来の図５および図６に示すような各パッキン１０４，１１０，１１１は、ケーブル類Ｃと防水管路材Ｐとの間隙を水密状に閉塞してケーブル類Ｃを挿通、保持させなければならないことから、防水管路材Ｐに挿入されるケーブル類Ｃの外径サイズに対応して、ケーブル類挿通孔の内径サイズの異なる防水パッキンをいくつか用意しておかなければならない。しかも、このように防水管路材Ｐに挿入されるケーブル類Ｃの外径サイズの様々な大きさのものに対応できるようにするために、従来では発注を受ける度に製造元で防水パッキン体に、サイズ毎に異なる径の孔加工をしているのが実情であり、極めて面倒なものであった。
【０００５】
そこで、本考案は叙上のような従来存した諸事情に鑑み創案されたもので、防水管路材に挿入されるケーブル類の外径サイズの様々な大きさのものに対応でき、且つ内外側の両パッキン内からの防水混和物の漏出を防ぐことで十分な止水機能を発揮できるようにした管路口止水装置を提供することを目的とする。
【課題を解決するための手段】
【０００６】
上述した課題を解決するため、本考案にあっては、防水管路材Ｐの防水フランジＱ内側に形成された拡開段差部Ｒに嵌め込み配置される内側パッキン２と、該内側パッキン２上に被覆充填される防水混和物３と、ケーブル類Ｃ周辺部分において形成された防水混和物３の盛り上がり部分に被さるようにして取り付けられる弾性キャップ４と、該弾性キャップ４に巻装貼着される自己融着テープ５と、弾性キャップ４先端部分を露出させ且つ弾性キャップ４の周端側を保持するようにして防水フランジＱに取り付けられる外側パッキン６と、外側パッキン６上に被着され、圧締ボルト８・ナット９によって防水フランジＱ側に締付け固定される締付盤７とを備えてなるものである。
また、弾性キャップ４は、円筒部４ａの一端縁から円錐状に窄まってなる袋状先端部４ｂと、円筒部４ａの他端縁に形成され、前記外側パッキン６で保持されるフランジ部４ｃと、袋状先端部４ｂの中央からフランジ部４ｃにかけて形成された開放切込部４ｄとを有してなり、袋状先端部４ｂはケーブル類Ｃの外径サイズに対応して切断可能としているものとすることができる。
【０００７】
以上のように構成された本考案に係る管路口止水装置にあって、弾性キャップ４は、ケーブル類Ｃの外径サイズに対応して袋状先端部４ｂの一部をハサミ等で切断開口してから開放切込部４ｄを開放し、ケーブル類Ｃが弾性キャップ４の円筒部４ａ内側に挿通配置されるようにして、防水混和物３のケーブル類Ｃ周辺部分における盛り上がり部分に被せる。このとき、袋状先端部４ｂおよび円筒部４ａによって隙間無く被せられた状態とする。そして、外側パッキン６の被着および締付盤７の圧締ボルト８・ナット９による圧締によって弾性キャップ４の周端側を保持させる。
内外側の両パッキン２，６によって挟まれている防水混和物３は、弾性キャップ４の袋状先端部４ｂで閉塞され、内外側の両パッキン２，６内からの防水混和物３の漏出を防止させる。
【考案の効果】
【０００８】
本考案によれば、防水管路材Ｐに挿入されるケーブル類Ｃの外径サイズの様々な大きさに対応でき、且つ内外側の両パッキン２，６内からの防水混和物３の漏出を防ぐことで十分な止水機能を発揮させることができる。
【０００９】
すなわち、これは本考案が、内側パッキン２上に被覆充填される防水混和物３のケーブル類Ｃ周辺部分において形成された盛り上がり部分に被さるようにして取り付けられる弾性キャップ４を備え、防水フランジＱに締付盤７によって締め付け固定される外側パッキン６によって弾性キャップ４の周端側を保持するようにしてあるからであり、これにより、内外側の両パッキン２，６内からの防水混和物３の漏出を確実に防ぐことができ、十分な止水機能を発揮させることができる。
【００１０】
また、弾性キャップ４は、円筒部４ａの一端縁から円錐状に窄まってなる袋状先端部４ｂと、円筒部４ａの他端縁に形成され、前記外側パッキン６で保持されるフランジ部４ｃと、袋状先端部４ｂの中央からフランジ部４ｃにかけて形成された開放切込部４ｄとを有してなり、袋状先端部４ｂはケーブル類Ｃの外径サイズに対応して切断可能としているので、使用するケーブル類Ｃに合わせて現場にても弾性キャップ４自体を加工でき、防水管路材Ｐに挿入されるケーブル類Ｃの外径サイズの様々な大きさに作業現場で迅速に対応させることができる。
【００１１】
尚、上記の課題を解決するための手段、考案の効果の項それぞれにおいて付記した符号は、図面中に記載した構成各部を示す部分との参照を容易にするために付したもので、図面中の符号によって示された構造・形状に本考案が限定されるものではない。
【考案を実施するための最良の形態】
【００１２】
以下、図面を参照して本考案を実施するための最良の一形態を説明する。図において示される符号１は、ケーブル類Ｃを保護するための防水管路材Ｐの管路口に形成された環状の防水フランジＱおよび該防水フランジＱ内側に形成されている拡開段差部Ｒに取り付けられる本考案の管路口止水装置を構成する装置本体である。該装置本体１は、大径な防水管路材Ｐの一端管路口から複数の小径なケーブル類Ｃが露出され、その露出部位では小径なケーブル類Ｃとこれより大径な防水管路材Ｐの開口との間に間隙が生じるものとなっているから、この隙間を水密状に塞ぐために取り付けられる。
【００１３】
装置本体１は、図１および図２（ｂ）に示すように、防水フランジＱ内側に嵌め込み配置される円盤状の内側パッキン２と、該内側パッキン２上すなわち防水管路材Ｐの開口側を隙間無く被覆するように充填される防水混和物３と、ケーブル類Ｃ周辺部分において握り拳状に形成された防水混和物３の盛り上がり部分に被さるようにして取り付けられる弾性キャップ４と、該弾性キャップ４外周面全体を巻装状にして貼着される自己融着テープ５と、弾性キャップ４先端部分を中央のケーブル類挿通孔６ａから露出させるようにして防水フランジＱに取り付けられる円盤状の外側パッキン６と、外側パッキン６上すなわち防水管路材Ｐの開口側に被着され、圧締ボルト８およびナット９によって後方側の防水フランジＱに締付けるようにして取り付けられる締付盤７とから構成されている。
【００１４】
防水管路材Ｐの防水フランジＱ内側には、内側パッキン２を嵌め込むために、防水管路材Ｐ本体に比し拡開させることで拡開段差部Ｒが形成され、その周端には、例えば４箇所に圧締ボルト８を挿着するための例えばＵ字形溝状のボルト挿入部１１を有する防水フランジＱが形成され、全体としてラッパ状の開口端となっている。
【００１５】
内側パッキン２は、硬度が例えば約４５〜６０度のクロロプレン等により中央にケーブル類挿通孔２ａを有する円盤状に形成されており、一方の側面には管路口の防水フランジＱ内側の拡開段差部Ｒに係合するための縮径テーパ部Ｔを形成してある（図２（ｂ）参照）。また、中央のケーブル類挿通孔２ａを外部に連通させる開放切込部２ｂを形成してあり、この開放切込部２ｂによって内側パッキン２自体を左右に強制的に開放することで、ケーブル類挿通孔２ａをケーブル類Ｃに挿通位置決めできるようにしてある。
【００１６】
防水混和物３としては、化学的不活性の高分子合成ゴムと電気絶縁性の優れた変性油脂とを基材とし、これに無機質の顔料、フィラーを加えて精製してなる不乾性ネオシールコンパウンド等の弾性止水材を採用している。
【００１７】
弾性キャップ４の素材としては、図３（ａ）、（ｂ）に示すように、例えばエチレンとプロピレンおよび架橋用ジエンモノマーとの三元共重合体である硬度が例えば約６０度のＥＰＤＭ等が使用される。この弾性キャップ４は、円筒部４ａの一端縁から円錐状に窄まってなる袋状先端部４ｂが形成され、円筒部４ａの他端縁には外側に向けてフランジ部４ｃが形成されている。
【００１８】
また、袋状先端部４ｂの中央からフランジ部４ｃにかけて開放切込部４ｄが形成され、前記した内側パッキン２と同様にしてこの開放切込部４ｄによって弾性キャップ４自体を左右に開放することで、ケーブル類Ｃに弾性キャップ４を挿通位置決めできるようにしてある。
【００１９】
そして、この弾性キャップ４の取り付けに際し、図１に示すように、開放切込部４ｄを介して当該弾性キャップ４を手で例えば半分に潰しておき、ケーブル類Ｃの外径サイズに対応して袋状先端部４ｂの頂部の一部をハサミ等の切断具で切断開口する。そして、開放切込部４ｄによって開放してケーブル類Ｃに弾性キャップ４を挿通配置させ、内側パッキン２上に充填されている防水混和物３のケーブル類Ｃ周辺部分における握り拳状の盛り上がり部分に袋状先端部４ｂおよび円筒部４ａが隙間無く被せるようにして取り付けるものとしてある。
【００２０】
外側パッキン６は、硬度が例えば約４５〜６０度のクロロプレン等により、中央が筒状となったケーブル類挿通孔６ａを有する若干テーパを付与してなる円盤状に形成されており、その周縁には、防水フランジＱのボルト挿入部１１に対応して周端４箇所に圧締ボルト８を挿通するためのＵ字形溝状のボルト挿入部１１を有するフランジ部６ｂが形成されている。
【００２１】
また、筒状のケーブル類挿通孔６ａからフランジ部６ｂにかけて開放切込部６ｃが形成され、前記した内側パッキン２と同様にしてこの開放切込部６ｃによって外側パッキン６自体を左右に開放することで、ケーブル類Ｃにケーブル類挿通孔６ａを挿通位置決めできるようにしてある。
【００２２】
そして、外側パッキン６の取り付けに際し、開放切込部６ｃによって開放してケーブル類Ｃにケーブル類挿通孔６ａを挿通配置させ、弾性キャップ４先端部分を、中央の筒状となったケーブル類挿通孔６ａから露出させるようにして外側パッキン６のフランジ部６ｂを防水フランジＱに当接配置させるものとしてある。
【００２３】
締付盤７は、剛性が高い硬質性の素材、例えば鉄またはＳＳ４００等の金属により、中央に筒状のケーブル類挿通孔７ａを有する若干テーパを付与してなる円盤状に形成され、その周端箇所には、防水フランジＱのボルト挿入部１１に対応したＵ字形溝状の４つのボルト挿入部１１を有するフランジ部７ｂを形成してある。そして、締付盤７のフランジ部７ｂ、外側パッキン６のフランジ部６ｂ、防水フランジＱそれぞれのボルト挿入部１１を互いに合致させて外側パッキン６を挟持した状態とし、圧締ボルト８およびナット９により締付盤７を防水フランジＱに水密的に圧接固定させるようになっている。
【００２４】
この締付盤７は、図４に示すように、中央から２分割された左右一対の半円盤体によって形成され、各フランジ部７ｂ周縁の中央には防水フランジＱの左右のボルト挿入部１１に対応したボルト挿入部１１が形成されている。また、半円盤体の両端部は段差部１３を介して肉厚の薄い接合面部１２となっており、該接合面部１２の段差部１３は、一端側では半円盤体の外側に形成され、他端側では半円盤体の内側に形成されている。そして、両半円盤体の内外両面を互いに反対向きにして接合面部１２同士を合致接合させることで円盤状の締付盤７が組み付けられるものとしてある。そして、この組み付けに際し互いに対向配置される接合面部１２それぞれには、防水フランジＱの上下のボルト挿入部１１に対応したボルト挿入部１１が形成されている。
【００２５】
締付盤７の取り付けに際し、ケーブル類Ｃの左右両側から両半円盤体の接合面部１２同士を合致させ、中央のケーブル類挿通孔７ａから弾性キャップ４先端部分を、外側パッキン６の筒状となったケーブル類挿通孔６ａと共に露出させるように締付盤７のフランジ部７ｂを防水フランジＱに当接配置させる。そして、防水フランジＱ後方側から圧締ボルト８が挿入され、反対側から座金１０を介してのナット９によるネジ止めによって締付盤７を防水フランジＱに水密的に圧接固定させる。これにより図２（ｂ）に示すように、外側パッキン６、弾性キャップ４のフランジ部４ｃ、防水混和物３それぞれが内側パッキン２と締付盤７とで挟持された状態となるようにしている。
【００２６】
次に、以上のように構成された最良の形態についての取付手順の一例について説明する。図１に示すように、先ず、複数のケーブル類Ｃが導入されている防水管路材Ｐの管路口における防水フランジＱ内側の拡開段差部Ｒ内への内側パッキン２の取り付けに際し、内側パッキン２の開放切込部２ｂを左右に強制的に開放し、ケーブル類挿通孔２ａをケーブル類Ｃに挿通する。そして、内側パッキン２の直径の小さい縮径テーパ部Ｔを防水フランジＱ内側の拡開段差部Ｒに係合するようにして嵌め込む。嵌め込むに際し、内側パッキン２の開放切込部２ｂが上側に位置するように取り付ける。
【００２７】
また、防水混和物３を内側パッキン２前面に隙間無く被覆するように充填する。充填するにつき、防水混和物３が防水フランジＱから約１０ｍｍ程度盛り上がるまで充填し、且つケーブル類Ｃ相互間に防水混和物３が入り込むように充填する。そして、ケーブル類Ｃ周辺部分において更に握り拳状の防水混和物３の盛り上がり部分を形成しておく。この際にもケーブル類Ｃ相互間に隙間無く防水混和物３が入り込むようにする。このとき、以後の弾性キャップ４を被せた時に内部に隙間が生じないように防水混和物３の量を調整しておく。
【００２８】
一方、弾性キャップ４の開放切込部４ｄによって当該弾性キャップ４自体を手で半分に潰しておき、複数のケーブル類Ｃ全体の外径サイズに対応して袋状先端部４ｂの頂部の一部をハサミ等で切断してから、開放切込部４ｄを開放して各ケーブル類Ｃに弾性キャップ４内側を挿通配置させる。そして、防水混和物３のケーブル類Ｃ周辺部分における握り拳状の盛り上がり部分に弾性キャップ４の袋状先端部４ｂおよび円筒部４ａが隙間無く被さるようにして取り付けた後、該弾性キャップ４外周面全体を自己融着テープ５で巻装状に貼着して開放切込部４ｄを塞ぐ。貼着に際し、弾性キャップ４に水圧が働いた時に開放切込部４ｄには大きな剥離力が掛かることになるため、自己融着テープ５を例えば二重巻装状に貼着しておくと良い。
【００２９】
そして、外側パッキン６の開放切込部６ｃを開放してケーブル類Ｃにケーブル類挿通孔６ａを挿通してから、外側パッキン６のフランジ部６ｂを防水フランジＱに当接配置させ、弾性キャップ４の先端部分を外側パッキン６のケーブル類挿通孔６ａから露出させる。このとき、外側パッキン６と防水フランジＱとのボルト挿入部１１同士を互いに合致させると同時に外側パッキン６の開放切込部６ｃは上側に位置するように取り付ける。
【００３０】
次いで、ケーブル類Ｃの左右両側から、締付盤７を構成する左右一対の半円盤体の接合面部１２同士を合致させ、締付盤７のフランジ部７ｂを防水フランジＱに当接配置させ、締付盤７中央のケーブル類挿通孔７ａから弾性キャップ４の先端部分を、外側パッキン６の筒状となったケーブル類挿通孔６ａと共に露出させる。そして、防水フランジＱ後方側から圧締ボルト８を挿入し、反対側から座金１０を介してのナット９によるネジ止めによって締付盤７を防水フランジＱに水密的に圧接することによって外側パッキン６上に締付盤７を被着固定する。
【００３１】
こうして、図２（ｂ）に示すように、外側パッキン６、弾性キャップ４のフランジ部４ｃ、防水混和物３それぞれが内側パッキン２と締付盤７とで挟持された状態となる。こうすることで、外側パッキン６および締付盤７それぞれのケーブル類挿通孔６ａ，７ａから露出している弾性キャップ４の袋状先端部４ｂによって防水混和物３を塞いでいることから当該防水混和物３の漏出を防いでいる。
【図面の簡単な説明】
【００３２】
【図１】本考案を実施するための最良の形態における管路口止水装置の施工の手順を示す分解斜視図である。
【図２】同じく取付状態を示すもので、（ａ）は正面図、（ｂ）は（ａ）のＸ−Ｘ断面図である。
【図３】同じく弾性キャップの一例を示し、（ａ）は正面図、（ｂ）は（ａ）のＹ−Ｙ断面図である。
【図４】同じく左右一対となった締付金具の一例を示す正面図である。
【図５】従来例における管路口止水装置の取付状態を示し、（ａ）は正面図、（ｂ）は（ａ）のＡ−Ａ断面図である。
【図６】従来例における他の管路口止水装置の取付状態を示し、（ａ）は正面図、（ｂ）は（ａ）のＢ−Ｂ断面図である。
【符号の説明】
【００３３】
Ｐ…防水管路材                          Ｑ…防水フランジ
Ｒ…拡開段差部                          Ｔ…縮径テーパ部
Ｃ…ケーブル類
１…装置本体                            ２…内側パッキン
２ａ…ケーブル類挿通孔                  ２ｂ…開放切込部
３…防水混和物                          ４…弾性キャップ
４ａ…円筒部                            ４ｂ…袋状先端部
４ｃ…フランジ部                        ４ｄ…開放切込部
５…自己融着テープ                      ６…外側パッキン
６ａ…ケーブル類挿通孔                  ６ｂ…フランジ部
６ｃ…開放切込部                        ７…締付盤
７ａ…ケーブル類挿通孔                  ７ｂ…フランジ部
８…圧締ボルト                          ９…ナット
１０…座金                              １１…ボルト挿入部
１２…接合面部                          １３…段差部
１０１…後側支持金具                    １０２…前側支持金具
１０３…防水混和物                      １０４…パッキン
１０５…中心部金具                      １０６…締付ボルト
１０７…締付金具                        １０８…支持ボルト
１１０…後側パッキン                    １１１…前側パッキン
【図１】
0003137882.tif 000003
【図２】
0003137882.tif 000004
【図３】
0003137882.tif 000005
【図４】
0003137882.tif 000006
【図５】
0003137882.tif 000007
【図６】
0003137882.tif 000008